Podtech/llm-jp-corpus-v4-ja_patent huggingface dataset:
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
平均発光方向を中心として、ある発光特性を有する主要放射線を発光するためのエレクトロルミネッセンス層を有する少なくとも１つのエレクトロルミネッセンス光源と、前記主要放射線の少なくとも一部を二次放射線に変換するための、少なくとも１つの光変換要素とを備え、前記光変換要素の形状は、ビュー角を関数とする一定の補正色温度を発生するよう、前記エレクトロルミネッセンス光源の発光特性に適合されていることを特徴とするエレクトロルミネッセンスデバイス。
【請求項２】
前記光変換要素は、前記エレクトロルミネッセンス光源に光学的に接続されていることを特徴とする請求項１記載のエレクトロルミネッセンスデバイス。
【請求項３】
前記光変換要素は、セラミック材料および／または光変換粒子が埋め込まれた、寸法上安定したマトリックス材料を含むことを特徴とする請求項１又は２に記載のエレクトロルミネッセンスデバイス。
【請求項４】
前記セラミック材料は、理論上の固体密度の９７％より大きい密度を有することを特徴とする請求項３に記載のエレクトロルミネッセンスデバイス。
【請求項５】
前記光変換要素の形状は、前記エレクトロルミネッセンス光源を向いた第１表面と、前記エレクトロルミネッセンス光源と反対側を向いた第２表面と、前記第１表面と前記第２表面の間に配置されたエッジ表面とを備えることを特徴とする請求項１乃至４の何れか１項に記載のエレクトロルミネッセンスデバイス。
【請求項６】
前記光変換要素の形状は、シート状形状、ディスク状形状、ボウル状形状から成る群から選択された形状であることを特徴とする請求項５記載のエレクトロルミネッセンスデバイス。
【請求項７】
前記エッジ表面は、前記エレクトロルミネッセンス光源のエレクトロルミネッセンス層の、層の垂線に対し、所定の補正色温度を発生するようになっている角度に配置されていることを特徴とする請求項５又は６に記載のエレクトロルミネッセンスデバイス。
【請求項８】
前記角度は、２０°〜７０°の間にあることを特徴とする請求項７に記載のエレクトロルミネッセンス。
【請求項９】
前記エレクトロルミネッセンス層は、前記光変換要素の前記第１表面に平行な付加的長さＵELだけ、前記光変換要素を越えて突出することを特徴とする請求項６乃至８の何れか１項に記載のエレクトロルミネッセンスデバイス。
【請求項１０】
前記光変換要素は、前記エレクトロルミネッセンス光源の前記エレクトロルミネッセンス層に平行な付加的長さＵLKEだけ、前記エレクトロルミネッセンス層を越えて突出することを特徴とする請求項６又は８の何れか１項に記載のエレクトロルミネッセンスデバイス。
【請求項１１】
前記付加的長さＵＬＫＥは、前記エレクトロルミネッセンス層と前記光変換要素の第１表面との間の距離以上となっていることを特徴とする請求項１０に記載のエレクトロルミネッセンスデバイス。
【請求項１２】
前記光変換要素の前記第１表面と第２表面との間には第１間隔およびこの第１間隔の４倍以下の第２間隔が存在することを特徴とする請求項５乃至１１の何れか１項に記載のエレクトロルミネッセンスデバイス。
【請求項１３】
前記第１表面、前記第２表面および前記エッジ表面から成る群から選択された少なくとも１つの表面は、反射構造体を有する請求項５乃至１１の何れか１項に記載のエレクトロルミネッセンスデバイス。
【請求項１４】
前記光変換要素は、前記主要放射線の２０％未満を反射することを特徴とする請求項３乃至１１の何れか１項に記載のエレクトロルミネッセンスデバイス。
【請求項１５】
ビュー角を関数とするように、所望する補正色温度を定めるステップと、
光変換要素を用いることなく、エレクトロルミネッセンス光源の発光特性を決定するステップと、
前記ビュー角を関数として定められた、補正色温度を発生するよう、前記エレクトロルミネッセンス光源の発光特性に前記光変換要素を適合させるステップとを備えたことを特徴とする請求項１に記載のエレクトロルミネッセンスデバイスを製造するための方法。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
データ転送システムであって、
コンピュータ・ネットワークに配置された複数のピア・システムと、
データを備え、且つ前記複数のピア・システムに結合された少なくとも１つのデータ・サーバとを備え、
前記複数のピア・システムは、第１のピア・システムと、少なくとも１つの第２のピア・システムとを備え、
前記第１のピア・システムは、前記少なくとも１つの第２のピア・システムに対して、前記少なくとも１つのデータ・サーバから前記第１のピア・システムへ前記データを協同して転送するように指示するように適合されており、
前記少なくとも１つの第２のピア・システムは、前記少なくとも１つのデータ・サーバから前記第１のピア・システムへデータを転送するように適合されている、データ転送システム。
【請求項２】
前記複数のピア・システムは、グリッド可能である、請求項１に記載のデータ転送システム。
【請求項３】
前記第１のピア・システムは、転送されるべきデータを識別し、前記データの部分を転送可能な前記少なくとも１つの第２のピア・システムを識別し、データ転送プランを作成するようにさらに適合されており、前記少なくとも１つの第２のピア・システムは、前記データ転送プランを前記少なくとも１つのデータ・サーバへ送信して、ステータス・メッセージを前記第１のピア・システムへ提供するように適合されている、請求項１に記載のデータ転送システム。
【請求項４】
データを転送する方法であって、前記方法は、
コンピュータ・ネットワークに複数のピア・システムを配置するステップと、
データを備える少なくとも１つのデータ・サーバを、第１のピア・システムと少なくとも１つの第２のピア・システムとを備える前記複数のピア・システムに結合するステップと、
前記第１のピア・システムが、前記少なくとも１つの第２のピア・システムに対して、前記少なくとも１つのデータ・サーバから前記第１のピア・システムへ前記データを協同して転送するように指示するステップと、
前記少なくとも１つの第２のピア・システムが、前記少なくとも１つのデータ・サーバから前記第１のピア・システムへデータを転送するステップと
を含む、方法。
【請求項５】
前記複数のピア・システムは、グリッド可能である、請求項４に記載の方法。
【請求項６】
前記第１のピア・システムが、転送されるべきデータを識別し、前記データの部分を転送可能な前記少なくとも１つの第２のピア・システムを識別し、データ転送プランを作成するステップをさらに含み、前記方法は、前記少なくとも１つの第２のピア・システムが、前記データ転送プランを前記少なくとも１つのデータ・サーバへ送信して、ステータス・メッセージを前記第１のピア・システムへ提供するステップをさらに含む、請求項４に記載の方法。
【請求項７】
前記第１のピア・システムと前記少なくとも１つの第２のピア・システムとの間の通信は、ウェブ・サービスを介して生じる、請求項４に記載の方法。
【請求項８】
前記第１のピア・システムが、前記データを再構築するステップをさらに含む、請求項４に記載の方法。
【請求項９】
前記複数のピア・システムを互いに接続するためのピア・ディレクトリを使用するステップをさらに含む、請求項４に記載の方法。
【請求項１０】
前記データの再構築は、圧縮を使用して前記データを転送することによって実行される、請求項８に記載の方法。
【請求項１１】
データを転送するための方法を実行するためにコンピュータによって実行可能な命令のプログラムを具体的に実施するものであって、前記コンピュータに、
コンピュータ・ネットワークに複数のピア・システムを配置するステップと、
データを備える少なくとも１つのデータ・サーバを、第１のピア・システムと少なくとも１つの第２のピア・システムとを備える前記複数のピア・システムに結合するステップと、
前記第１のピア・システムが、前記少なくとも１つの第２のピア・システムに対して、前記少なくとも１つのデータ・サーバから前記第１のピア・システムへ前記データを協同して転送するように指示するステップと、
前記少なくとも１つの第２のピア・システムが、前記少なくとも１つのデータ・サーバから前記第１のピア・システムへデータを転送するステップとを実行させる、
プログラム。
【請求項１２】
前記複数のピア・システムは、グリッド可能である、請求項１１に記載のプログラム記憶装置。
【請求項１３】
前記方法は、前記第１のピア・システムが、転送されるべきデータを識別し、前記データの部分を転送可能な前記少なくとも１つの第２のピア・システムを識別し、データ転送プランを作成するステップをさらに含み、前記方法は、前記少なくとも１つの第２のピア・システムが、前記データ転送プランを前記少なくとも１つのデータ・サーバへ送信して、ステータス・メッセージを前記第１のピア・システムへ提供するステップをさらに含む、請求項１１に記載のプログラム。
【請求項１４】
前記方法は、前記第１のピア・システムが、前記データを再構築するステップをさらに含む、請求項１１に記載のプログラム。
【請求項１５】
前記方法は、前記複数のピア・システムを互いに接続するためのピア・ディレクトリを使用するステップをさらに含む、請求項１１に記載のプログラム。
【請求項１６】
前記データの再構築は、圧縮を使用して前記データを転送することによって実行される、請求項１４に記載のプログラム。
【請求項１７】
コンピュータ・システムであって、
コンピュータ・ネットワークと、
データを備え、前記コンピュータ・ネットワークに結合された少なくとも１つのデータ・サーバと、
前記コンピュータ・ネットワークに結合されたグリッド可能な第１のピア・システムと、
前記コンピュータ・ネットワークに結合されたグリッド可能な第２のピア・システムと、
前記第１のピア・システムと前記第２のピア・システムとを結合するように適合されたピア・ディレクトリとを備え、
前記第１のピア・システムは、前記少なくとも１つの第２のピア・システムに対して、前記少なくとも１つのデータ・サーバから前記第１のピア・システムへ前記データを協同して転送するように指示するように適合されており、
前記複数の第２のピア・システムは、少なくとも１つのデータ・サーバから前記第１のピア・システムへデータを転送するように適合されており、
前記第１のピア・システムは、転送されるべきデータを識別し、前記データの部分を転送可能な前記少なくとも１つの第２のピア・システムを識別し、データ転送プランを作成するようにさらに適合されており、前記少なくとも１つの第２のピア・システムは、前記データ転送プランを前記少なくとも１つのデータ・サーバへ送信して、ステータス・メッセージを前記第１のピア・システムへ提供するように適合されている、コンピュータ・システム。
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
複数の導電性セパレータプレート（１７）を備える複数の燃料電池セル（８，９）であって、前記複数の導電性セパレータプレート（１７）は、各々のセパレータプレートが、第１の面に隣接した複数の酸化剤反応ガス流域チャネル（１２〜１５）と、前記第１の面の反対側の第２の面に隣接した複数の燃料反応ガス流域チャネル（１９，１９ａ）と、を有し、ガス拡散層（ＧＤＬ）を有する酸素極（２２）と、ガス拡散層（ＧＤＬ）を有する燃料極（２３）と、を含む一体化された１つまたは複数の電極アセンブリ（２０）によって、各々のプレートが隣接する１つまたは複数の前記プレートから分離され、ガス拡散層（ＧＤＬ）の各々が触媒によってＰＥＭ膜（２１）から分離されている、複数の燃料電池セル（８，９）と、
複数のセル内ウィックストリップ（１６）と、
を備え、
前記反応ガス流域チャネルが前記プレートの表面（６０）のうち少なくとも１つに隣接して形成され、前記反応ガス流域チャネルは、（ａ）前記表面のうち対応する表面から前記プレートの内部へ延在する溝（１１）によって形成され、（ｉ）前記複数のセル内ウィックストリップが前記溝の内部にある、若しくは（ｉｉ）前記複数のセル内ウィックストリップが前記溝間の数個ごとのスロット内にある、または、（ｂ）前記対応する表面を横断するように互いに均等に離間した関係で配置された前記ウィックストリップによって形成され、前記ウィックストリップのうち隣接するウィックストリップの間の空間が前記反応ガス流域チャネルを形成している、のいずれかであることを特徴とする燃料電池セルスタック（３２）。
【請求項２】
前記セパレータプレートが、実質的に親水性かつ多孔質であることを特徴とする請求項１に記載の燃料電池セルスタック（３２）。
【請求項３】
前記セル内ウィックストリップ（１６）がスロット内にあり、前記スロットの各々が、Ｎ個（Ｎは自然数であり、１〜数個）の前記溝によって隣接するスロットから離間されていることを特徴とする請求項１に記載の燃料電池セルスタック（３２）。
【請求項４】
前記酸化剤反応ガス流域チャネル（１２〜１５）が、前記第１の表面から前記プレートの内部へ延在する溝によって形成されていることを特徴とする請求項１に記載の燃料電池セルスタック（３２）。
【請求項５】
前記酸化剤反応ガス流域チャネルが、実質的に垂直であることを特徴とする請求項４に記載の燃料電池セルスタック（３２）。
【請求項６】
請求項５に記載の燃料電池セルスタック（３２）を備え、さらに、
前記プレートの各々に含まれる対応するセル内ウィックストリップ（１６，１６ａ）の少なくとも１つと流体連通する複数のセル相互間ウィックストリップ（２６，３０）であって、前記セルに含まれる前記セル内ウィックストリップが前記セル相互間ウィックストリップの対応する１つと流体連通する、複数のセル相互間ウィックストリップ（２６，３０）と、
前記燃料電池セルスタック（３２）に隣接して配置され、前記酸化剤反応ガス流域チャネル（１２〜１５）と流体連通する酸化剤排出口マニホルドチャンバ（４３）と、
冷却剤空気が通流できる冷却剤空気管（３４）を有し、前記酸化剤排出口マニホルドチャンバ内に配置され、前記酸化剤ガスチャネルからの排気を前記マニホルドに通過させることによって、前記チャンバ内の前記管を使って前記排気に含まれる水蒸気を凝縮させる凝縮器（３３）と、
前記凝縮器からの凝縮物と流体連通するように、前記スタックの上部（２６）および／または底部（３０）に配置され、前記プレート（１７）の平面を実質的に横断する方向に配向され、各々が、前記セル内ウィックストリップのうち対応するウィックストリップの上部または底部と流体連通する前記複数のセル相互間ウィックストリップと、
酸化剤反応ガスを前記酸化剤反応ガス流域チャネルに流すための流体ハンドラ（４６）と、
を備えることを特徴とする燃料電池発電装置。
【請求項７】
前記複数のセル相互間ウィックストリップが、前記スタックの上部（２６）および底部（３０）の両方に配置されていることを特徴とする請求項６に記載の燃料電池発電装置。
【請求項８】
前記酸化剤排出口マニホルドチャンバ（４３）が、前記燃料電池セルスタック（３２）の上方に配置されていることを特徴とする請求項６に記載の燃料電池発電装置。
【請求項９】
各々が、前記プレート（１７）の各々に含まれる前記セル内ウィックストリップ（１６，１６ａ）のうち対応する１つと流体連通する複数のセル相互間ウィックストリップ（２６，３０）をさらに備え、前記セルに含まれるセル内ウィックストリップの実質的にすべてが、前記セル相互間ウィックストリップの対応する１つと流体連通することを特徴とする請求項１に記載の燃料電池セルスタック（３２）。
【請求項１０】
前記セル相互間ウィックストリップ（２６）のほぼ半分が前記スタックの一方の側にあり、前記セル相互間ウィックストリップのほぼ半分が前記スタックのもう一方の側にあることを特徴とする請求項９に記載の燃料電池セルスタック（３２）。
【請求項１１】
請求項５に記載の燃料電池セルスタック（３２）を備え、さらに、
各々が、前記プレートの各々に含まれるセル内ウィックストリップ（１６，１６ａ）のうち対応する１つと流体連通する複数のセル相互間ウィックストリップ（２６，３０）であって、前記セルのすべてに含まれるセル内ウィックストリップのすべてが、前記セル相互間ウィックストリップのうち対応する１つと流体連通する、複数のセル相互間ウィックストリップ（２６，３０）と、
前記燃料電池セルスタック（３２）に隣接して配置され、前記酸化剤反応ガス流域チャネル（１２〜１５）と流体連通する酸化剤排出口マニホルドチャンバ（４３）と、
冷却剤空気が通流できる冷却剤空気管（３４）を有し、前記酸化剤排出口マニホルドチャンバ内に配置され、前記酸化剤ガスチャネルからの排気を前記マニホルドに通過させることによって、前記チャンバ内の前記管を使って前記排気に含まれる水蒸気を凝縮させる凝縮器（３３）と、
前記凝縮器からの凝縮液と流体連通するように、前記スタックの上部（２６）および／または底部（３０）に配置され、前記プレート（１７）の平面を実質的に横断する方向に配向され、各々が、前記セル内ウィックストリップのうち対応するウィックストリップの上部または底部と流体連通する前記複数のセル相互間ウィックストリップと、
前記酸化剤反応ガス流域チャネルに酸化剤反応ガスを垂直方向に流すための流体ハンドラ（４６）と、
を備えることを特徴とする燃料電池発電装置。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
可撓性絶縁導電体と、
誘電体層と回路とを含む第１の支持体と、
前記第１の支持体から離れるように延び、かつ該第１の支持体の前記回路と電気的に導通し、前記導体と該第１の支持体の該回路との間の電気接続をもたらすために該導体内に挿入された端子を含む第１のＩＤＣコネクタと、
前記第１の支持体上に装着され、該第１の支持体の前記回路と電気的に導通する第１のＬＥＤと、
前記第１の支持体と該第１の支持体に隣接する前記導体の一部分とを少なくとも実質的に取り囲む第１のオーバーモールドハウジングと、
を含むことを特徴とするストリング照明エンジン。
【請求項２】
誘電体層及び回路を含み、かつ前記導体の長さに沿って前記第１の支持体から離間している第２の支持体と、
前記第２の支持体から離れるように延び、かつ該第２の支持体の前記回路と電気的に導通し、前記導体と該第２の支持体の該回路との間の電気接続をもたらすために該導体内に挿入された端子を含む第２のＩＤＣコネクタと、
前記第２の支持体上に装着され、該第２の支持体の前記回路と電気的に導通する第２のＬＥＤと、
前記第２の支持体と該第２の支持体に隣接する前記導体の一部分とを少なくとも実質的に取り囲む第２のオーバーモールドハウジングと、
を更に含むことを特徴とする請求項１に記載の照明エンジン。
【請求項３】
前記第１の支持体及び前記第２の支持体の少なくとも一方は、プリント基板を含むことを特徴とする請求項２に記載の照明エンジン。
【請求項４】
前記第１のハウジング及び前記第２のハウジングの少なくとも一方は、該ハウジングの外部にある前記導体へのあらゆる力が該ハウジング内に配置された前記導体の部分に伝達されることを制限するように構成された歪み軽減部材を含むことを特徴とする請求項２又は請求項３に記載の照明エンジン。
【請求項５】
前記導体は、該導体の全長に沿って前記第１の支持体から離間した該導体の第１の部分が第１の平面に存在し、かつ前記第１のＩＤＣコネクタの前記端子が挿入された該導体の第２の部分が該第１の平面にほぼ垂直な第２の平面に存在するような捩れ部を含むことを特徴とする請求項１から請求項４のいずれか１項に記載の照明エンジン。
【請求項６】
前記第１支持体は、前記第２の平面にほぼ平行な平面に存在することを特徴とする請求項５に記載の照明エンジン。
【請求項７】
前記導体は、第１の導体ワイヤ、第２の導体ワイヤ、及び第３の導体ワイヤを含むことを特徴とする請求項１から請求項６のいずれか１項に記載の照明エンジン。
【請求項８】
前記第１のＩＤＣコネクタは、前記第１の導体ワイヤに接触する第１の端子、前記第２の導体ワイヤに接触する第２の端子、前記第３の導体ワイヤに接触する第３の端子、及び該第３の導体ワイヤに接触する第４の端子を含むことを特徴とする請求項７に記載の照明エンジン。
【請求項９】
ストリング照明エンジンを製造する方法であって、
支持体、前記支持体に装着されたＬＥＤ、該支持体に作動的に固定されたＩＤＣコネクタを含み、かつ該ＩＤＣコネクタを通じて絶縁導体に接続されている第１のＬＥＤアセンブリを該絶縁導体に接続する段階と、
支持体、前記支持体に装着されたＬＥＤ、該支持体に作動的に固定されたＩＤＣコネクタを含み、かつ該ＩＤＣコネクタを通じて前記絶縁導体に接続されている第２のＬＥＤアセンブリを該絶縁導体に接続する段階と、
少なくとも前記第１のＬＥＤアセンブリの一部分及び前記絶縁導体の一部分の上に第１のハウジングをオーバーモールドする段階と、
少なくとも前記第２のＬＥＤアセンブリの一部分及び前記絶縁導体の一部分の上に第２のハウジングをオーバーモールドする段階と、
を含むことを特徴とする方法。
【請求項１０】
複数のＬＥＤと、
各コネクタが、前記複数のＬＥＤの少なくとも１つと電気的に導通し、かつ該複数のＬＥＤの少なくとも１つと作動的かつ機械的に接続している複数のＩＤＣコネクタと、
少なくとも２つのワイヤを有する絶縁可撓性導体と、
を含み、
前記ＩＤＣコネクタは、前記導体内に挿入された端子を含み、該導体は、前記少なくとも２つのワイヤがほぼ第１の平面に存在する、該ＩＤＣコネクタが該導体に挿入される第１の部分と、該少なくとも２つのワイヤが該第１の平面に対して１８０°以外の角度にある第２の平面に存在する、該第１の部分から該導体の長さに沿って離間した第２の部分とを含む、
ことを特徴とする、薄い扁平型ストリング照明エンジン。
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
対象においてゴーシェ病またはファブリー病を処置または予防するための医薬品の製造における、生物学的に活性な組換えリソソーム酵素を発現する植物細胞の使用であって、前記医薬品は経口投与または粘膜投与のために配合される使用。
【請求項２】
前記組換えリソソーム酵素の前記生物学的活性は、ワクチン接種に対する免疫応答の誘発ではない、請求項１に記載の使用。
【請求項３】
前記組換えリソソーム酵素は、ヒトリソソーム酵素である、請求項１または２に記載の使用。
【請求項４】
前記疾患はゴーシェ病であり、前記組換えリソソーム酵素はグルコセレブロシダーゼである、請求項１〜３のいずれかに記載の使用。
【請求項５】
前記組換えリソソーム酵素は、ヒトグルコセレブロシダーゼである、請求項４に記載の使用。
【請求項６】
前記組換えリソソーム酵素は、配列番号４に記載されるアミノ酸配列を有する、請求項４または５に記載の使用。
【請求項７】
前記リソソーム酵素は、グルコセレブロシド加水分解酵素触媒活性を有する、請求項４〜６のいずれかに記載の使用。
【請求項８】
前記リソソーム酵素は、高マンノースタンパク質である、請求項１〜７のいずれかに記載の使用。
【請求項９】
前記リソソーム酵素は、キシロース残基でグリコシル化される、請求項１〜８のいずれかに記載の使用。
【請求項１０】
前記疾患はゴーシェ病である、請求項１〜９のいずれかに記載の使用。
【請求項１１】
前記疾患はファブリー病であり、前記リソソーム酵素はヒトαガラクトシダーゼである、請求項１〜３のいずれかに記載の使用。
【請求項１２】
前記疾患はファブリー病である、請求項１に記載の使用。
【請求項１３】
前記植物細胞は、実質的に無傷の細胞壁を含む、請求項１〜１２のいずれかに記載の使用。
【請求項１４】
前記植物細胞は、実質的に無傷の細胞膜を含む、請求項１〜１２のいずれかに記載の使用。
【請求項１５】
前記植物細胞は、実質的に無傷の細胞壁および細胞膜を含む、請求項１〜１４のいずれかに記載の使用。
【請求項１６】
前記植物細胞は、単離された細胞である、請求項１〜１５のいずれかに記載の使用。
【請求項１７】
前記植物細胞は、脱水された植物細胞である、請求項１〜１６のいずれかに記載の使用。
【請求項１８】
前記脱水された植物細胞は、賦形剤を含む、請求項１〜１７のいずれかに記載の使用。
【請求項１９】
前記植物細胞は、アルファルファ植物細胞を含む、請求項１〜１８のいずれかに記載の使用。
【請求項２０】
前記植物細胞は、タバコ植物細胞を含む、請求項１〜１８のいずれかに記載の使用。
【請求項２１】
前記植物細胞は、タバコ細胞株から得られた植物細胞を含む、請求項１〜１８のいずれかに記載の使用。
【請求項２２】
前記植物細胞は植物の根細胞を含む、請求項１〜１８のいずれかに記載の使用。
【請求項２３】
前記植物の根細胞は、アグロバクテリウム・リゾゲネスにより形質転換された根細胞、セロリ細胞、ショウガ細胞、西洋ワサビ細胞およびニンジン細胞からなる群から選択される、請求項２２に記載の使用。
【請求項２４】
前記植物の根細胞はニンジン細胞である、請求項２２に記載の使用。
【請求項２５】
前記組換えリソソーム酵素は、前記対象において免疫原性ではない、請求項１〜２４のいずれかに記載の使用。
【請求項２６】
前記組織は、肝臓組織または脾臓組織である、請求項１〜２５のいずれかに記載の使用。
【請求項２７】
対象の組織に生物学的に活性な組換えリソソーム酵素を送達するための単位投薬形態物であって、リソソーム酵素を発現する植物細胞の治療的に有効な量を含む単位投薬形態物。
【請求項２８】
対象における生物学的に活性な組換え生体分子の全身送達のための単位投薬形態物であって、生物学的に活性な組換え生体分子を発現する植物細胞の治療的に有効な量を含むものにおいて、前記生体分子は、ワクチン接種に対する免疫応答の誘発以外の対象における生物学的活性を有する単位投薬形態物。
【請求項２９】
経口投与のために配合される、請求項２７または２８に記載の単位投薬形態物。
【請求項３０】
粘膜投与のために配合される、請求項２７または２８に記載の単位投薬形態物。
【請求項３１】
前記植物細胞は脱水された植物細胞を含む、請求項２７〜３０のいずれかに記載の単位投薬形態物。
【請求項３２】
前記組換え生体分子は、ホルモン、増殖因子、プロテアーゼ、細胞外マトリックスタンパク質、酵素、キメラタンパク質、アンチセンスオリゴヌクレオチド、ｄｓＲＮＡ、抗体、リボザイム、およびＤＮＡザイムからなる群から選択される、請求項２８〜３１のいずれかに記載の単位投薬形態物。
【請求項３３】
前記生体分子は酵素であり、前記生物学的活性は触媒活性である、請求項２８〜３１のいずれかに記載の単位投薬形態物。
【請求項３４】
前記生体分子はホルモンであり、前記生物学的活性はリガンド結合活性である、請求項２８〜３１のいずれかに記載の単位投薬形態物。
【請求項３５】
前記組換え生体分子は抗体である、請求項２８〜３１のいずれかに記載の単位投薬形態物。
【請求項３６】
前記組換え生体分子はキメラタンパク質である、請求項２８〜３１のいずれかに記載の単位投薬形態物。
【請求項３７】
前記リソソーム酵素は、ヒトリソソーム酵素である、請求項２７および２９〜３１のいずれかに記載の単位投薬形態物。
【請求項３８】
前記リソソーム酵素は、ヒトグルコセレブロシダ−ゼである、請求項３７に記載の単位投薬形態物。
【請求項３９】
前記リソソーム酵素は、ヒトαガラクトシダーゼである、請求項２７および２９〜３１のいずれかに記載の単位投薬形態物。
【請求項４０】
前記ヒトリソソーム酵素は、配列番号４に記載されるアミノ酸配列を有する、請求項３８に記載の単位投薬形態物。
【請求項４１】
前記組織は、肝臓組織または脾臓組織である、請求項２７および２９〜３１のいずれかに記載の単位投薬形態物。
【手続補正書】
【提出日】平成21年3月12日(2009.3.12)
【手続補正１】
【補正対象書類名】特許請求の範囲
【補正対象項目名】請求項５
【補正方法】変更
【補正の内容】
【請求項５】
哺乳類の炎症性、アレルギー性及び喘息性の疾患を治療又は予防するための医薬組成物であって、ズダヤクシュの粗抽出物又は有機溶媒可溶抽出物、若しくは請求項３記載のチアレリン酸を含む、前記医薬組成物。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
式（Ｉ）の化合物、またはその塩：
【化１】
2009501745.tif 000001
式中、
Ｒ１は−Ｃ１〜６アルキル、−Ｃ１〜６アルコキシ、−Ｃ３〜８シクロアルキル（Ｃ１〜６アルキルで置換されていてもよい）、ヘテロシクリル、アリール、ヘテロアリール、および−アリール−ヘテロアリールであり、
ここで前記Ｒ１のヘテロシクリル、アリール、ヘテロアリール、および−アリール−ヘテロアリールは、それぞれ独立して、Ｃ１〜６アルキル（ＣＯＯＲ３で置換されていてもよく、このＲ３はＣ１〜６アルキルまたは水素である）、Ｃ１〜６アルコキシ（ＣＯＯＲ４で置換されていてもよく、このＲ４はＣ１〜６アルキルまたは水素である）、シアノ、オキソ、ハロゲン、Ｃ１〜６アルキルスルホニル、−Ｃ１〜６アルキルＣＯＮＲ５Ｒ６｛ここでＲ５およびＲ６は独立して水素、Ｃ１〜６アルキル、Ｃ１〜６アルコキシ、Ｃ１〜６アルキルＣ１〜６アルコキシであるか、またはＮＲ５Ｒ６が一緒になって４〜７員非芳香族ヘテロ環（ＯまたはＳ原子１個を含有していてもよく、かつＣ１〜６アルキル、ハロゲンまたはＣ１〜６アルコキシで置換されていてもよい）を形成してもよい｝、−ＣＯＮＲ７Ｒ８｛ここでＲ７およびＲ８は独立して水素、Ｃ１〜６アルキル、Ｃ１〜６アルコキシ、Ｃ１〜６アルキルＣ１〜６アルコキシであるか、またはＮＲ７Ｒ８が一緒になって４〜７員非芳香族ヘテロ環（ＯまたはＳ原子１個を含有していてもよく、かつＣ１〜６アルキル、ハロゲンまたはＣ１〜６アルコキシで置換されていてもよい）を形成してもよい｝から選択される同一または異なる１もしくは２個の置換基で置換されていてもよく；
Ｒ２は−（ＣＨ２）Ｘ−ＮＲ９Ｒ１０｛ここでＮＲ９Ｒ１０は、Ｎで連結している窒素含有ヘテロシクリル環（トリフルオロメチルまたはＣ１〜６アルキルから選択される１または２個の置換基で置換されていてもよい）であり、かつｘは２、３または４である｝であるか、あるいは
Ｒ２は以下の基である：
【化２】
2009501745.tif 000002
式中、Ｒ１１はＣ１〜６アルキル、Ｃ３〜８シクロアルキルまたはＣ１〜６アルキルＣ３〜８シクロアルキルであり、Ｒ１２はトリフルオロメチルまたはＣ１〜６アルキルであり、ｚは０または１であり、ｙは０または１であり、そしてｇは０、１または２であり、かつｈは０、１、２または３であり、ｇおよびｈの両方が０になることはない；
ただし、化合物は４−［（２，４−ジフルオロフェニル）カルボニル］−１−［４−（｛３−［２−メチル−１−ピロリジニル］プロピル｝オキシ）フェニル］−２−ピペラジノン、またはその塩ではない。
【請求項２】
Ｒ１が、Ｃ１〜６アルキル（ＣＯＯＲ３で置換されていてもよく、このＲ３はＣ１〜６アルキルまたは水素である）、Ｃ１〜６アルコキシ（ＣＯＯＲ４で置換されていてもよく、このＲ４はＣ１〜６アルキルまたは水素である）、シアノ、オキソ、Ｃ１〜６アルキルスルホニル、−Ｃ１〜６アルキルＣＯＮＲ５Ｒ６｛ここでＲ５およびＲ６は独立して水素、Ｃ１〜６アルキル、Ｃ１〜６アルコキシ、Ｃ１〜６アルキルＣ１〜６アルコキシであるか、またはＮＲ５Ｒ６が一緒になって４〜７員非芳香族ヘテロ環（ＯまたはＳ原子１個を含有していてもよく、かつＣ１〜６アルキル、ハロゲンまたはＣ１〜６アルコキシで置換されていてもよい）を形成してもよい｝、−ＣＯＮＲ７Ｒ８｛ここでＲ７およびＲ８は独立して水素、Ｃ１〜６アルキル、Ｃ１〜６アルコキシ、Ｃ１〜６アルキルＣ１〜６アルコキシであるか、またはＮＲ７Ｒ８が一緒になって４〜７員非芳香族ヘテロ環（ＯまたはＳ原子１個を含有していてもよく、かつＣ１〜６アルキル、ハロゲンまたはＣ１〜６アルコキシで置換されていてもよい）を形成してもよい｝から選択される同一のまたは異なる１もしくは２個の置換基で置換されていてもよい、請求項１に記載の化合物。
【請求項３】
Ｅ１〜Ｅ１８０から選択される化合物またはその塩。
【請求項４】
塩が薬学的に許容される塩である、請求項１〜３のいずれか１項に記載の化合物。
【請求項５】
治療に使用するための、請求項１〜３のいずれか１項に記載の化合物または薬学的に許容されるその塩。
【請求項６】
炎症性および／またはアレルギー性障害の治療に使用するための、請求項５に記載の化合物。
【請求項７】
鼻炎、特にアレルギー性鼻炎の治療に使用するための、請求項５に記載の化合物。
【請求項８】
請求項１〜３のいずれか１項に記載の治療上有効量の化合物または薬学的に許容されるその塩を含み、１種以上の薬学的に許容される担体および／または賦形剤を含んでいてもよい、組成物。
【請求項９】
Ｈ１受容体アンタゴニストをさらに含む、請求項８に記載の組成物。
【請求項１０】
炎症性および／またはアレルギー性障害の治療または予防のための医薬の製造における、請求項１〜３のいずれか１項に記載の化合物または薬学的に許容されるその塩の使用。
【請求項１１】
障害がアレルギー性鼻炎である、請求項１０に記載の使用。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその塩。
【化１】
2009501744.tif 000001
【請求項２】
塩が薬学的に許容される塩である、請求項１に記載の化合物。
【請求項３】
４−［（２，４−ジフルオロフェニル）カルボニル］−１−［４−（｛３−［（２Ｒ）−２−メチル−１−ピロリジニル］プロピル｝オキシ）フェニル］−２−ピペラジノン、またはその塩。
【請求項４】
治療に使用するための、請求項１〜３のいずれか１項に記載の化合物または薬学的に許容されるその塩。
【請求項５】
炎症性および／またはアレルギー性障害の治療に使用するための、請求項４に記載の化合物または薬学的に許容されるその塩。
【請求項６】
鼻炎、特にアレルギー性鼻炎の治療に使用するための、請求項４に記載の化合物または薬学的に許容されるその塩。
【請求項７】
請求項１〜３のいずれか１項に記載の化合物または薬学的に許容されるその塩を含み、１種以上の薬学的に許容される担体および／または賦形剤を含んでもいてもよい、組成物。
【請求項８】
Ｈ１受容体アンタゴニストをさらに含む、請求項７に記載の組成物。
【請求項９】
炎症性および／またはアレルギー性障害の治療または予防のための医薬の製造における、請求項１〜３のいずれか１項に記載の化合物または薬学的に許容されるその塩の使用。
【請求項１０】
障害がアレルギー性鼻炎である、請求項９に記載の使用。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
式(I)：
【化１】
2009501746.tif 000001
[式中、
R1は、メチルまたはエチルを表し；
R2は、下記のリスト：
【化２】
2009501746.tif 000002
より選択される基を表し；
R3は、下記のリスト：
【化３】
2009501746.tif 000003
より選択される基を表し；
ここで、R4は、下記のリスト：
【化４】
2009501746.tif 000004
より選択される基を表し；
R5は、水素、C1-4アルキル、C1-4アルキルアリール、C1-4アルキルヘテロアリールまたはC1-4ヒドロキシアルキルを表し；
R6およびR7は独立して、水素、メチルまたはフェニルを表す]
の化合物、ならびにその塩および溶媒和物。
【請求項２】
R1がエチルを表す、請求項1に記載の化合物。
【請求項３】
R2が基(i)、(ii)、(iii)または(iv)を表す、請求項1または請求項2に記載の化合物。
【請求項４】
R5がHを表す、請求項1〜3のいずれか1項に記載の化合物。
【請求項５】
R4が基(i)、(ii)、(iii)、(iv)または(v)を表す、請求項1〜4のいずれか1項に記載の化合物。
【請求項６】
(2R,3S,4R,5R)-2-(2-エチル-2H-テトラゾール-5-イル)-5-[2-{[2-(1H-イミダゾール-4-イル)エチル]アミノ}-6-({trans-4-[(2-{[2-(1H-イミダゾール-4-イル)エチル]アミノ}-1H-プリン-6-イル)アミノ]シクロヘキシル}アミノ)-9H-プリン-9-イル]テトラヒドロ-3,4-フランジオール；
(2R,3S,4R,5R)-2-(2-エチル-2H-テトラゾール-5-イル)-5-[2-{[2-(1-メチル-1H-イミダゾール-4-イル)エチル]アミノ}-6-({trans-4-[(2-{[2-(1-メチル-1H-イミダゾール-4-イル)エチル]アミノ}-1H-プリン-6-イル)アミノ]シクロヘキシル}アミノ)-9H-プリン-9-イル]テトラヒドロ-3,4-フランジオール；
(2R,3S,4R,5R)-2-(2-エチル-2H-テトラゾール-5-イル)-5-[2-{[2-(5-メチル-1H-イミダゾール-4-イル)エチル]アミノ}-6-({trans-4-[(2-{[2-(5-メチル-1H-イミダゾール-4-イル)エチル]アミノ}-1H-プリン-6-イル)アミノ]シクロヘキシル}アミノ)-9H-プリン-9-イル]テトラヒドロ-3,4-フランジオール；
(2R,3S,4R,5R)-2-(2-エチル-2H-テトラゾール-5-イル)-5-[2-{[4-(1-ピロリジニル)ブチル]アミノ}-6-({trans-4-[(2-{[4-(1-ピロリジニル)ブチル]アミノ}-1H-プリン-6-イル)アミノ]シクロヘキシル}アミノ)-9H-プリン-9-イル]テトラヒドロ-3,4-フランジオール；
(2R,3R,4S,5R)-2-(2-[(trans-4-アミノシクロヘキシル)アミノ]-6-{[trans-4-({2-[(trans-4-アミノシクロヘキシル)アミノ]-9H-プリン-6-イル}アミノ)シクロヘキシル]アミノ}-9H-プリン-9-イル)-5-(2-エチル-2H-テトラゾール-5-イル)テトラヒドロ-3,4-フランジオール；
(2R,3S,4R,5R)-2-(2-エチル-2H-テトラゾール-5-イル)-5-[2-{[2-(1H-イミダゾール-4-イル)エチル]アミノ}-6-({trans-4-[(2-{[2-(1H-イミダゾール-4-イル)エチル]アミノ}-4-ピリミジニル)アミノ]シクロヘキシル}アミノ)-9H-プリン-9-イル]テトラヒドロ-3,4-フランジオール；
(2R,3S,4R,5R)-2-(2-エチル-2H-テトラゾール-5-イル)-5-[2-{[2-(1-メチル-1H-イミダゾール-4-イル)エチル]アミノ}-6-({trans-4-[(2-{[2-(1-メチル-1H-イミダゾール-4-イル)エチル]アミノ}-4-ピリミジニル)アミノ]シクロヘキシル}アミノ)-9H-プリン-9-イル]テトラヒドロ-3,4-フランジオール；
(2R,3S,4R,5R)-2-(2-エチル-2H-テトラゾール-5-イル)-5-[2-{[2-(5-メチル-1H-イミダゾール-4-イル)エチル]アミノ}-6-({trans-4-[(2-{[2-(5-メチル-1H-イミダゾール-4-イル)エチル]アミノ}-4-ピリミジニル)アミノ]シクロヘキシル}アミノ)-9H-プリン-9-イル]テトラヒドロ-3,4-フランジオール；
(2R,3S,4R,5R)-2-(2-エチル-2H-テトラゾール-5-イル)-5-[2-{[4-(1-ピロリジニル)ブチル]アミノ}-6-({trans-4-[(2-{[4-(1-ピロリジニル)ブチル]アミノ}-4-ピリミジニル)アミノ]シクロヘキシル}アミノ)-9H-プリン-9-イル]テトラヒドロ-3,4-フランジオール；
(2R,3R,4S,5R)-2-(2-[(trans-4-アミノシクロヘキシル)アミノ]-6-{[trans-4-({2-[(trans-4-アミノシクロヘキシル)アミノ]-4-ピリミジニル}アミノ)シクロヘキシル]アミノ}-9H-プリン-9-イル)-5-(2-エチル-2H-テトラゾール-5-イル)テトラヒドロ-3,4-フランジオール；
である式(I)の化合物、またはそれらのいずれか1つの塩もしくは溶媒和物。
【請求項７】
請求項1〜6のいずれか1項に記載の式(I)の化合物を含み、さらに1種以上の製薬上許容される希釈剤または担体を含む医薬組成物。
【請求項８】
医薬品として使用するための請求項1〜6のいずれか1項に記載の化合物。
【請求項９】
炎症性疾患の治療のための医薬品の製造における請求項1〜6のいずれか1項に記載の化合物の使用。
【手続補正書】
【提出日】平成21年5月13日(2009.5.13)
【手続補正１】
【補正対象書類名】特許請求の範囲
【補正対象項目名】請求項１
【補正方法】変更
【補正の内容】
【請求項１】
下記式II：
【化１】
2009501753.tif 000001
[式中、R5は、水素、ヒドロキシであり；
R6aは、水素、R5と共に二重結合、又はR7aと共に-CH2基であり；
R6bは、水素、R7bと共に-CH2基、又は二重結合であり；
R7aは、水素、C1-C4-アルキル、C1-C4-アルコキシカルボニル、C1-C4-チオアシル、又はR6aと共に-CH2基であり；
R7bは、水素、又はR6bと共に-CH2基であり；
R9は、水素、R11と共に二重結合、又はR11と共にエポキシ基-O-であり；
R10は、水素、メチル又はエチルであり；
R11は、水素、R9と共に二重結合、又はR9と共にエポキシ基-O-であり；
R13は、水素、メチル又はエチルであり；
R15は、水素、C1-C4-アルキル、R16と共に-CH2基、又は二重結合であり；
R16は、水素、R15と共に-CH2基、又は二重結合である]
で表される３−オキソ−プレグナン−21, 17−カルボラクトンの生成方法であって、下記式I：
【化２】
2009501753.tif 000002
[式中、R5, R6a, R6b, R7a, R7b, R9, R10, R11, R13, R15及びR16は上記の通りである]
で表される化合物と、少なくとも３モル当量の酸化剤としての有機又は無機次亜塩素酸塩とを、触媒量の2，2，6，6−テトラメチルピペリジン−N−オキシド誘導体の存在下で少なくとも8.0のpHで反応せしめることを含んで成る方法。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
下記の工程を含む雌哺乳動物の状態を評価する方法であって：
a) 基質の修飾をもたらすと考えられる条件下で、未修飾の基質を試料に曝す工程であって、未修飾の基質は第1の検出可能なラベルでラベルされたペプチドを含む、工程；および
b) 基質の修飾または基質の修飾の非存在を検出する工程であって、修飾は、基質から検出可能なラベルを切断する工程を含み、可視信号をもたらし、ここで、修飾または修飾の非存在は雌哺乳動物の状態を示す、工程、
ここで、状態が膣炎、尿路感染症、陰部ヘルペス、および排卵前期からなる群より選択される少なくとも一つの状態である、方法。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
哺乳動物における細菌の感染性の栄養細胞の増殖を抑制するための医薬組成物であって、低抗菌性の投与量の抗菌性テトラサイクリン化合物、非抗菌性のテトラサイクリン化合物、又は医薬品として許容されるこれらの塩を含むことを特徴とする医薬組成物。
【請求項２】
抗菌性のテトラサイクリンがドキシサイクリンである、請求項１に記載の医薬組成物。
【請求項３】
抗菌性のテトラサイクリンがミノサイクリンである、請求項１に記載の医薬組成物。
【請求項４】
非抗菌性のテトラサイクリンがCOL-3である、請求項１に記載の医薬組成物。
【請求項５】
非抗菌性のテトラサイクリンがCOL-308である、請求項１に記載の医薬組成物。
【請求項６】
非抗菌性のテトラサイクリンがCOL-311である、請求項１に記載の医薬組成物。
【請求項７】
非抗菌性のテトラサイクリンがCOL-306である、請求項１に記載の医薬組成物。
【請求項８】
非抗菌性のテトラサイクリンがCOL-801である、請求項１に記載の医薬組成物。
【請求項９】
非抗菌性のテトラサイクリンがCOL-802である、請求項１に記載の医薬組成物。
【請求項１０】
非抗菌性のテトラサイクリンがCOL-803である、請求項１に記載の医薬組成物。
【請求項１１】
非抗菌性のテトラサイクリンがCOL-804である、請求項１に記載の医薬組成物。
【請求項１２】
非抗菌性のテトラサイクリンがCOL-805である、請求項１に記載の医薬組成物。
【請求項１３】
非抗菌性のテトラサイクリンがCOL-1002である、請求項１に記載の医薬組成物。
【請求項１４】
哺乳動物が人間である、請求項１に記載の医薬組成物。
【請求項１５】
哺乳動物が、感染性の栄養細胞の関係する病気又は状態となるリスクを有する、請求項１に記載の医薬組成物。
【請求項１６】
細菌がバチルス属である、請求項１に記載の医薬組成物。
【請求項１７】
細菌がクロストリジウム属である、請求項１に記載の医薬組成物。
【請求項１８】
バチルス属の細菌が、バチルス・アンスラシス又はバチルス・セレウスである、請求項１６に記載の医薬組成物。
【請求項１９】
クロストリジウム属の細菌が、クロストリジウム・ボツリナム、クロストリジウム・ペルフリンゲンス、クロストリジウム・テタニ、クロストリジウム・デフィシル又はクロストリジウム・ヒストリチカムである、請求項１７に記載の医薬組成物。
【請求項２０】
細菌胞子に対する疑わしい曝露の後に投与するための、請求項１に記載の医薬組成物。
【請求項２１】
細菌胞子の感染を知った後に投与するための、請求項１に記載の医薬組成物。
【請求項２２】
細菌胞子に対する、起こるかもしれない曝露の前に投与するための、請求項１に記載の医薬組成物。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
ａ)  式(Ｉ)：
【化１】
2009501765.tif 000001
〔式中、
Ｒ１は水素、低級アルキル、低級アルコキシ−低級アルキル、アシルオキシ−低級アルキル、カルボキシ−低級アルキル、低級アルコキシカルボニル−低級アルキル、またはフェニル−低級アルキルであり；
Ｒ２は水素、所望により１個以上の同一または異なるラジカルＲ３で置換されていてよい低級アルキル、シクロアルキル、ベンズシクロアルキル、ヘテロシクリル、アリール基、または０個、１個、２個もしくは３個の環窒素原子および０個もしくは１個の酸素原子および０個もしくは１個の硫黄原子単または二環式ヘテロアリール基であり(いずれの場合もこれらの基は非置換であるか、または単もしくは多置換されている)；
そしてＲ３はヒドロキシ、低級アルコキシ、アシルオキシ、カルボキシ、低級アルコキシカルボニル、カルバモイル、Ｎ−モノ−またはＮ,Ｎ−ジ置換カルバモイル、アミノ、モノまたはジ置換アミノ、シクロアルキル、ヘテロシクリル、アリール基、または０個、１個、２個もしくは３個の環窒素原子および０個もしくは１個の酸素原子および０個もしくは１個の硫黄原子を含む単または二環式ヘテロアリール基であるか(いずれの場合もこれらの基は非置換であるか、または単もしくは多置換されている)；
または、Ｒ１およびＲ２は、一緒になって、所望により低級アルキル、シクロアルキル、ヘテロシクリル、フェニル、ヒドロキシ、低級アルコキシ、アミノ、モノまたはジ置換アミノ、オキソ、ピリジル、ピラジニルまたはピリミジニルでモノまたはジ置換されていてよい４個、５個または６個の炭素原子のアルキレン；４個または５個の炭素原子のベンズアルキレン；１個の酸素および３個または４個の炭素原子のオキサアルキレン；または１個の窒素および３個または４個の炭素原子のアザアルキレン(ここで、窒素は非置換であるか、または低級アルキル、フェニル−低級アルキル、低級アルコキシカルボニル−低級アルキル、カルボキシ−低級アルキル、カルバモイル−低級アルキル、Ｎ−モノ−またはＮ,Ｎ−ジ置換カルバモイル−低級アルキル、シクロアルキル、低級アルコキシカルボニル、カルボキシ、フェニル、置換フェニル、ピリジニル、ピリミジニル、またはピラジニルで置換されている)であり；
Ｒ４は水素、低級アルキル、またはハロゲンである。〕
のピリミジルアミノベンズアミド化合物、および
ｂ)  少なくとも１種のｍＴＯＲ阻害剤：
を含む、医薬的組み合わせ。
【請求項２】
処置を必要とする対象における増殖性疾患の処置または予防のための、請求項１に記載の医薬的組み合わせ(ただし、薬剤ａ)および薬剤ｂ)は該対象に同時にまたは連続して投与してよい)。
【請求項３】
薬剤ａ)が４−メチル−３−[[４−(３−ピリジニル)−２−ピリミジニル]アミノ]−Ｎ−[５−(４−メチル−１Ｈ−イミダゾル−１−イル)−３−(トリフルオロメチル)フェニル]ベンズアミドである、請求項１に記載の医薬的組み合わせ。
【請求項４】
白血病のための、請求項１に記載の医薬的組み合わせ。
【請求項５】
ｍＴＯＲ阻害剤および４−メチル−３−[[４−(３−ピリジニル)−２−ピリミジニル]アミノ]−Ｎ−[５−(４−メチル−１Ｈ−イミダゾル−１−イル)−３−(トリフルオロメチル)フェニル]ベンズアミドを含む、白血病の処置のための医薬的組み合わせ。
【請求項６】
ｍＴＯＲ阻害剤がＲＡＤラパマイシン(シロリムス)およびエベロリムスまたはＲＡＤ００１から選択されるその誘導体／類似体；ＣＣＩ−７７９、ＡＢＴ５７８、ＳＡＲ５４３、アスコマイシン(ＦＫ５０６のエチル類似体)、ＡＰ２３５７３およびＡＰ２３８４１から選択される、請求項５記載の医薬的組み合わせ。
【請求項７】
増殖性疾患の処置または予防のための、請求項１に記載の医薬組成物。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
立体異性体の任意の形での式
【化１】
2009501779.tif 000001
の化合物またはこれらの混合物。
【請求項２】
２α，５，５，８ａβ−テトラメチル−３，５，６，７，８，８ａ−ヘキサヒドロ−１（２Ｈ）−ナフタレノン、（２Ｓ，８ａＲ）−２，５，５，８ａ−テトラメチル−３，５，６，７，８，８Ａ−ヘキサヒドロ−１（２Ｈ）−ナフタレノン、（２Ｒ，８ａＳ）−２，５，５，８ａ−テトラメチル−３，５，６，７，８，８Ａ−ヘキサヒドロ−１（２Ｈ）−ナフタレノン、２α，５，５，８ａα−テトラメチル−３，５，６，７，８，８ａ−ヘキサヒドロ−１（２Ｈ）−ナフタレノン、２，５，５，８ａ−テトラメチル−６，７，８，８ａ−テトラヒドロ−１（２Ｈ）−ナフタレノンである、請求項１に記載の化合物。
【請求項３】
ｉ）香料成分として、立体異性体の任意の形での少なくとも１種の式（Ｉ）
【化２】
2009501779.tif 000002
［式中、点線は単結合または二重結合を示し、Ｒは水素原子またはメチル基を示し、かつＲ１は水素原子またはメチル基またはエチル基を示す］の化合物またはこれらの混合物；
ｉｉ）香料キャリアおよび香料ベースから成る群から選択される少なくとも１種の成分；および
ｉｉｉ）場合により、少なくとも１種の香料アジュバント：
を含有する香料組成物。
【請求項４】
化合物（Ｉ）が、立体異性体の任意の形での式
【化３】
2009501779.tif 000003
［式中、Ｒおよび点線は、請求項３に記載のものを表す］の化合物またはこれらの混合物である、請求項３記載の香料組成物。
【請求項５】
化合物（Ｉ）が、２α，５，５，８ａβ−テトラメチル−３，５，６，７，８，８ａ−ヘキサヒドロ−１（２Ｈ）−ナフタレノン、（２Ｓ，８ａＲ）−２，５，５，８ａ−テトラメチル−３，５，６，７，８，８Ａ−ヘキサヒドロ−１（２Ｈ）−ナフタレノン、（２Ｒ，８ａＳ）−２，５，５，８ａ−テトラメチル−３，５，６，７，８，８Ａ−ヘキサヒドロ−１（２Ｈ）−ナフタレノン、２α，５，５，８ａα−テトラメチル−３，５，６，７，８，８ａ−ヘキサヒドロ−１（２Ｈ）−ナフタレノン、２，５，５，８ａ−テトラメチル−６，７，８，８ａ−テトラヒドロ−１（５Ｈ）−ナフタレノン、２α，６，５，５，８αβ−ペンタメチル−３，５，６，７，８，８ａ−ヘキサヒドロ−１（２Ｈ）−ナフタレノンまたは５，５，８ａ−トリメチル−３，５，６，７，８，８ａ−ヘキサヒドロ−１（２Ｈ）−ナフタレノンである、請求項３に記載の香料組成物。
【請求項６】
ｉ）香料成分として、請求項３に記載の少なくとも１種の式（Ｉ）の化合物および
ｉｉ）消費製品ベース；
を含有する賦香製品。
【請求項７】
消費製品ベースが固体または液体洗剤、衣料用柔軟剤、パヒューム、コロンまたはアフターシェイブローション、化粧石鹸、シャワーまたはバスソルト、ムース、オイルまたはジェル、衛生製品、ヘアケア製品、シャンプー、ボディケア製品、デオドラントまたは制汗剤、エアフレッシュナー、化粧品調製物、衣料用リフレッシュナー、アイロン用水、紙、布または漂白剤である、請求項６に記載の賦香製品。
【請求項８】
請求項３に記載の式（Ｉ）の化合物の香料成分としての使用。